(57)【要約】  【課題】  筐体が樹脂成形により製造される薄型表示装置のスピーカボックス部分の構造を簡単にして金型の製作を容易にする。  【解決手段】  樹脂製の前キャビネット１１と樹脂製の後キャビネット１２とにより形成される筐体の隅部分に前方から見て四角形のスピーカボックス１６を形成するために、後キャビネット１２の内側の２辺の位置に隔壁１４ａ，１４ｂを突設し、外側の２辺については後キャビネット１２の側壁１２ａ，１２ｂを隔壁の代わりに用いる。隔壁１４ａ，１４ｂと側壁１２ａ，１２ｂの先端は、弾性部材１５を介して前キャビネット１１に当接して密閉する。その結果、スピーカボックス１６の外側の２辺について隔壁が突設されなくなり、その分、後キャビネット１２の成形金型の構造が簡単になる。【選択図】  図１
2005203896.tif 000002
【特許請求の範囲】
【請求項１】
樹脂製の前キャビネットと後キャビネットを接合して筐体を構成し、該筐体の内側周囲部分にスピーカボックスを区画形成してスピーカを設置する薄型表示装置において、
スピーカボックスの外側の壁面を前記前キャビネットまたは／および後キャビネットの外側壁と一体共用にしたことを特徴とする薄型表示装置。
【請求項２】
樹脂製の前キャビネットと後キャビネットを接合して筐体を構成し、該筐体の左右側面内側または／および上下面内側に前方または／および後方から隔壁を突設してスピーカボックスを区画形成してスピーカを設置する薄型表示装置において、
前記隔壁のうち前記スピーカボックスの外側に位置する隔壁と前記前キャビネットまたは／および後キャビネットの外側壁とを一体共用にしたことを特徴とする薄型表示装置。
【請求項３】
請求項２に記載の薄型表示装置において、
前記スピーカボックスを形成する隔壁およびキャビネットの外側壁の先端突き当て部に弾性部材を挟圧させたことを特徴とする薄型表示装置。
【請求項４】
請求項１乃至３のいずれかに記載の薄型表示装置において、
前記筐体の左右側面内側であって上面側または下面側の隅部分にスピーカボックスを区画形成したことを特徴とする薄型表示装置。
【発明の詳細な説明】
【技術分野】
【０００１】
本発明は、液晶テレビ等のスピーカボックスを内蔵する薄型表示装置に関し、詳しくは樹脂製の前キャビネットと後キャビネットを前後から接合して筐体を構成するとともに、該筐体内の一画を隔離してスピーカボックスとした薄型表示装置に関する。
【背景技術】
【０００２】
従来、スピーカボックスを内蔵する液晶テレビでは、樹脂製の前キャビネットと後キャビネットを前後から接合して筐体を構成するとともに、その筐体内の一画を隔離してスピーカボックスを形成していた。図３および図４は従来のスピーカボックスを内蔵する液晶テレビの筐体の隅に形成されたスピーカボックスの構造を示すものである。図３は筐体の隅に形成されたスピーカボックス部分の断面図であり、前キャビネット１と後キャビネット２に相対向する隔壁３，４ａ〜４ｄを突設して、それらの先端を弾性部材（多孔質弾性材）５を介して互いに当接し、その隔壁３，４ａ〜４ｄに囲まれた空間をスピーカボックス６としていた。さらに、隔壁３に囲まれた前キャビネット１に孔７を形成してその内側にスピーカ８を取り付けていた。なお、前キャビネットと後キャビネットを接合して筐体を形成して内部にスピーカボックスを設けるものとして特許文献１に記載の「携帯型液晶表示装置」がある。
【特許文献１】特開平１１−３３１７３３号公報
【発明の開示】
【発明が解決しようとする課題】
【０００３】
上述したように、前キャビネット１と後キャビネット２を接合した筐体内にスピーカボックス６を形成する場合は、スピーカボックス６は筐体の四隅に配置されることが多い。その場合、後キャビネット２の外側に配置される隔壁４ｃ，４ｄは、後キャビネット２の外側面壁２ａ，２ｂに近接して略並行に形成されることになり、形状が複雑となる。その結果、後キャビネット２を樹脂成形する金型の製作過程において、その複雑な部分の製作が煩わしいものとなるとともに、金型に肉厚の薄いエッジ部分ができるため金型寿命が短くなるという問題があった。そこで本発明は、樹脂製の前キャビネットと後キャビネットを接合した筐体内の内側にスピーカボックスを形成する薄型表示装置において、スピーカボックスを形成する隔壁の外側部分をキャビネットの外壁部と共用することで、キャビネットの成形金型を簡単にして、成形金型の製作を容易にするとともに、金型の耐用寿命も長くすることを目的とした。
【課題を解決するための手段】
【０００４】
上記課題を解決するために、本発明は、樹脂製の前キャビネットと後キャビネットを接合して筐体を構成し、該筐体の内側周囲部分にスピーカボックスを区画形成してスピーカを設置する薄型表示装置において、スピーカボックスの外側の壁面を前記前キャビネットまたは／および後キャビネットの外側壁と一体共用する。
詳しくは、樹脂製の前キャビネットと後キャビネットを接合して筐体を構成し、該筐体の左右側面内側または／および上下面内側に前方または／および後方から隔壁を突設してスピーカボックスを区画形成してスピーカを設置する薄型表示装置において、前記隔壁のうち前記スピーカボックスの外側に位置する隔壁と前記前キャビネットまたは／および後キャビネットの外側壁とを一体共用にする。
ここで、前記スピーカボックスを形成する隔壁およびキャビネットの外側壁の先端突き当て部に弾性部材を挟圧させることが好ましい。
また、前記筐体の左右側面内側であって上面側または下面側の隅部分にスピーカボックスを区画形成することが可能である。
【発明の効果】
【０００５】
以上述べたように本発明によれば、樹脂製の前キャビネットと後キャビネットを接合して筐体を構成し、その筐体の内側周囲部分にスピーカボックスを区画形成してスピーカを設置する薄型表示装置において、スピーカボックスの外側の壁面を前記前キャビネットまたは／および後キャビネットの外側壁と一体共用することで、前キャビネット、後キャビネットを成形する金型の構造が簡単となり製作が容易になるとともに、金型寿命も延びる効果が得られる。さらには、スピーカボックスの容積もその分、増大して音質が向上する効果が得られる。
【発明を実施するための最良の形態】
【０００６】
以下、図に基づいて本発明の実施形態を説明する。
図１は本発明を、スピーカボックスを内蔵する液晶テレビに適用した場合のスピーカボックス部分の横断面図であり、図２は図１の後キャビネットの隅部分の斜視図である。図示されるように、前キャビネット１１と後キャビネット１２とにより構成される筐体の隅部分に前方から見て四角形のスピーカボックス１６を形成するために、後キャビネット１２の内側の２辺の位置に隔壁１４ａ，１４ｂを突設し、外側の２辺については後キャビネット１２の側壁１２ａ，１２ｂを隔壁の代わりに用いる。
【０００７】
隔壁１４ａ，１４ｂと側壁１２ａ，１２ｂの先端は、弾性部材１５を介して前キャビネット１１に当接されて密閉される。その結果、外周を隔壁１４ａ，１４ｂと側壁１２ａ，１２ｂとに囲まれたスピーカボックス１６が形成され、その前面の前キャビネット１１に孔１７が形成されてその内側にスピーカ１８が取り付けられる。また、図２に示される後キャビネット１２の隅の部分の四角形部分１９は、前キャビネット１１にも同位置に形成されて、前キャビネット１１および後キャビネット１２の角部の円み部分に、弾性部材１５を貼着するとき、弾性部材１５の角部を特に円みを付ける処理をしなくても、それぞれ矩形状をした縦方向の弾性部材片と横方向の弾性部材片を突き合わせるだけで前キャビネット１１と後キャビネット１２とを密封可能にするものである。
【０００８】
後キャビネット１２をこのように構成したことで、後キャビネット１２を樹脂成形する際の金型の側壁１２ａ，１２ｂ部分に、従来設けていた隔壁に対応する部分がなくなり、その分、金型の構成が簡単になり、製作が容易となる。また、側壁１２ａ，１２ｂ部分に従来あったエッジ部がなくなったことで、金型の強度も増し耐久寿命も延びるようになる。さらには、側壁１２ａ，１２ｂの部分に隔壁がなくなった分、スピーカボックス１６の容積が増し音質が向上する利点も得られる。
【０００９】
図示例では、後キャビネット１２側に隔壁１４ａ，１４ｂを突設しているが、前キャビネット１１側から隔壁を突設する構成とすることも可能である。また、後キャビネット１２と前キャビネット１１との両方から隔壁を突設して中間で突き合わせる構成とすることもできる。なお、図示例では、前キャビネット１１と後キャビネット１２とで形成される筐体の隅の部分にスピーカボックス１６を形成したが、筐体の左右端部に辺全長にわたる縦長のスピーカボックスを形成して、内側の一辺だけを隔壁の構成とし残る三辺をキャビネットの側壁とする構成も可能である。またさらには、筐体の上下左右のいずれかの各辺の側壁を一辺とし、残りの三辺を隔壁により構成するスピーカボックスも可能である。
【産業上の利用可能性】
【００１０】
本発明は、液晶テレビ以外に、スピーカボックスを内蔵するＰＤＰ、ＳＥＤ、有機ＥＬディスプレィ等の薄型表示装置に利用可能である。
【図面の簡単な説明】
【００１１】
【図１】本発明に係る薄型表示装置のスピーカボックス部分の横断面図である。
【図２】図１の後キャビネットの隅部分の斜視図である。
【図３】従来例のスピーカボックスの構造を示す図である。
【図４】従来例のスピーカボックスの構造を示す図である。
【符号の説明】
【００１２】
１１  前キャビネット
１２  後キャビネット
１２ａ，１２ｂ  側壁
１４ａ，１４ｂ  隔壁
１５  弾性部材
１６  スピーカボックス
１７  孔
１８  スピーカ
１９  四角形部分
【図１】
2005203896.tif 000003
【図２】
2005203896.tif 000004
【図３】
2005203896.tif 000005
【図４】
2005203896.tif 000006